(57)【特許請求の範囲】
【請求項１】
イオンを放出する放電針を持つ電気系統部と、該電気系統部と電気的、構造的に独立して形成した、エアを噴射するエアノズルを持つエアブローガン系統部とから成るエアブローガン型除電器において、前記放電針は＋イオンを放出する＋イオン放電針と−イオンを放出する−イオン放電針から成り、前記＋イオン放電針と前記−イオン放電針との間に前記エアノズルが配置されており、前記放電針の向きを前記エアノズルから噴射されるエア噴射方向にほぼ向けてイオンとエアの混合を良くすると共に、複数の放電針の向きを噴射エアに交差する方向に向け、かつ竜巻が起きるようにイオン放射方向をさらに傾けて、イオンとエアの混合を良くしたことを特徴とするエアブローガン型除電器。
【請求項２】
請求項１記載のエアブローガン型除電器において、前記エアブローガン系統部の本体はガン（銃）タイプの形状に形成されており、前記電気系統部の放電部は断面がコの字状に形成されていて、前記＋イオン放電針と前記−イオン放電針との間に前記エアノズルが配置されており、前記エアブローガン系統部の本体に着座し、前記＋放電針と前記−放電針との中間に配置されたことを特徴とするエアブローガン型除電器。
【請求項３】
請求項１記載のエアブローガン型除電器において、電気系統部とエアブローガン系統部を着脱または交換可能に構成したことを特徴とするエアブローガン型除電器。
【請求項４】
請求項１記載のエアブローガン型除電器において、電気系統部の絶縁ケースを上下割り（水平割り）に構成したことを特徴とするエアブローガン型除電器。
【発明の詳細な説明】
【０００１】
【産業上の利用分野】
本発明は、除電器に関し、特に、イオナイザとエアブローガンの両方の機能を有し、対象物の静電気を除電しながら同時に付着した埃や塵を吹き飛ばすエアブローガン型除電器に関する。
【０００２】
【従来の技術】
従来例の静電器除去装置（即ち、除電器）には、以下のようなものがある。
（１）イオナイザ
（ａ）装置に固定してワークの除電を行うもの
（ｂ）手で持って移動しながらワークの除電を行うもの
（ｃ）圧縮空気を吹き出すエアブローガンとイオナイザを一体化し、対象物の静電気を除電しながら同時に付着した埃を吹き飛ばすもの（以下、単にエアブローガン型除電器という）
（２）リストストラップ
（３）静電気対策衣服
（４）導電靴
（５）受動型除電具
（ａ）指輪型
（ｂ）時計型
【０００３】
本発明は、前述の除電器のうち、イオナイザの中で（ｃ）のエアブローガン型除電器の改良に関するものであるので、以下に、従来例のエアブローガン型除電器に関して説明する。なお、前述のその他の除電器に関する説明は、本出願人により平成１１年２月２４日に出願した特願平１１−０４６８２８号に記載されているので、参照されたい。
【０００４】
図１０は、従来例のエアブローガン型除電器の部分断面図である。図１０に示すように、この従来例のエアブローガン型除電器１００は、エアブローガンにイオナイザの電気部（放電電極部）を設けている。エアブローガンは圧縮空気を通す筒状のガン本体１０２と、ガン本体１０２に圧縮空気を供給するエアホース１０４と、ガン本体１０２の先端に設けられたエアノズル１０６とから成る。
【０００５】
このエアブローガンに対して放電電極部１０８が設けられているが、この放電電極部１０８はガン本体１０２とエアノズル１０６との間に設けられた筒状の絶縁体１０８ａと筒状絶縁体１０８ａの中央に設けられた放電針１０８ｂからなり、放電針１０８ｂにはガン本体１０２と離れたところにある高電圧発生装置１１０から高電圧ケーブル１１２を介して高電圧が印可されている。
【０００６】
図１１は他の従来例のエアブローガン型除電器の部分断面図である。この従来例のエアブローガン型除電器では、高電圧発生装置１１０がガン本体１０２と一体に配置されている。
【０００７】
【発明が解決しようとする課題】
これらの従来例に共通している点は、エアブローガンの一部に高電圧放電電極部が一体に組み込まれている。そのため、従来例では以下に記載するような問題が発生している。
（１）エアブローガンは圧縮空気を用いる。圧縮空気はエアブローガンまで運ばれ、ここで一気に膨張させられるために、空気は断熱膨張し、冷却されるので、エアブローガンの中での水滴の発生は避けられない。即ち、図１２のエアブローガン型除電器の電気部（放電電極部）の断面図に示すように、エアブローガンは常に水滴（水分）１２０の発生を伴ったものである。この水分を伝わって高電圧電極である放電針１０８ｂや高電圧ケーブル１１２から電気が漏れる。即ち、漏電が起きる。そのため、エアブローガンを手で持って作業している人は感電し、危険である。
【０００８】
図１３にこの漏電の状況を模型の電気回路図として示す。高電圧発生回路１２２で作った高電圧Ｖ0 は、電流制限抵抗Ｒを経由して放電針に導かれる。この電流制限抵抗Ｒでの降下電圧をＶD とし、放電電圧をＶ1 、放電電流をＩ1 、漏電電流をＩ2 とすると、
Ｖ1 ＝Ｖ0 −ＶD 
ＶD ＝（Ｉ1 ＋Ｉ2 ）Ｒ
となる。
【０００９】
ここで、高電圧Ｖ0 ＝５ＫＶ、電流制限電流＝１００ＭΩ、放電電流Ｉ1 ＝１μＡとすると、
漏電がなければ、Ｉ2 ＝０なので、
ＶD ＝（１×１０-6）×（１００×１０6 ）＝１００Ｖ
【００１０】
放電針電圧（Ｖ0 −ＶD ）＝５ＫＶ−１００Ｖ＝４．９ＫＶ
となる。
一方、漏電があり、漏電電流Ｉ2 ＝５０μＡとすると、
ＶD ＝（１×１０-6＋５×１０-6）×（１００×１０6 ）＝５，１００Ｖ
放電針電圧＝５ＫＶ−５．１ＫＶ≒０ＫＶ
となり、放電針の電圧は下がってしまうので放電は停止する。
【００１１】
このように高電圧部に水滴等が付着し漏電が発生すると、感電事故はもとより、肝心の除電機能が損なわれることになる。
【００１２】
（２）エアブローガンの中に組み込まれた放電針は汚れやすく、常に、掃除をしなけらばならないが、放電針はガンの内部に一体化しているので、クリーニングが難しい。
【００１３】
（３）エアブローガンは機械的な装置であり、圧縮空気を用いるので高圧に耐えるように頑丈にできている。例え乱暴に扱われたとしても、水や油に耐えるように作られていた。一方、除電器は電気的な装置であるので、水分を非常に嫌い、なおかつ高電圧を扱うため、漏電を避けるため電気絶縁を完全に行う必要がある。
【００１４】
以上説明したように、エアブローガンと除電器は元々異質のものであるが、これを無理に一体化しているのが現状であり、そのため，従来では、常に漏電という避けることができない問題があった。
【００１５】
したがって、本発明の目的は、漏電防止のために、イオンを放出する放電針を持つ電気系統部とエアを噴射するエアノズルを持つエアブローガン系統部を電気的、構造的に独立して形成するにも拘わらず、イオンとエアの混合を良くすることができるエアブローガン型除電器を提供することにある。
【００１６】
【課題を解決するための手段】
前述の目的を達成するために、本発明は、イオンを放出する放電針を持つ電気系統部と、該電気系統部と電気的、構造的に独立して形成した、エアを噴射するエアノズルを持つエアブローガン系統部とから成るエアブローガン型除電器において、前記放電針は＋イオンを放出する＋イオン放電針と−イオンを放出する−イオン放電針から成り、前記＋イオン放電針と前記−イオン放電針との間に前記エアノズルが配置されており、前記放電針の向きを前記エアノズルから噴射されるエア噴射方向にほぼ向けてイオンとエアの混合を良くすると共に、複数の放電針の向きを噴射エアに交差する方向に向け、かつ竜巻が起きるようにイオン放射方向をさらに傾けて、イオンとエアの混合を良くしたことを特徴とする。
【００１７】
【実施例】
本発明のエアブローガン型除電器は電気系統部とエアブローガン系統部とを完全に独立した個々の部分として構成するが、組み合わせた状態では、電気系統部に設けられた放電針から放出されるイオンとエアブローガン系統部（以下、ガン系統部という）に設けられたエアノズルから発射される圧縮空気を相互作用させるようにしたものである。
【００１８】
本発明の構成を説明する前に、本発明が電気系統部とエアブローガン系統部とを完全に独立した個々の部分として構成している利点を容易に理解できるように、最初に、電気系統部とガン系統部が通常有する特性を説明する。
（１）寿命：
電気系統部の寿命は電子部品の寿命により決まり、ほぼ５〜７年であるのに対して、ガン系統部の寿命はその使い方にもよるが、普通１〜２年である。このように両者の寿命が大きく異なるので、使用途中で寿命の短いガン系統部を交換するようになる。
（２）水分との相性：
電気系統部は高電圧を使っている関係上、水分を最も嫌う。水分が侵入すると、最初に漏電が発生し、感電の危険性がでてくる。また、漏電により放電作用が停止し、または弱くなるので、除電効果が不足する。漏水によって、当然、電子部品が壊れ故障する可能性もでてくる。これに対して、ガン系統部は、水にも油にも、場合によってはゴミ等の汚れに対しても強くできている。
【００１９】
このように、電気系統部とガン系統部がそれぞれ固有の欠点を有するので、従来例のようにこれらを一体に形成した場合では、構成上個々の欠点を十分に補うことができない。
【００２０】
次に、本発明を図面を参照して説明する。図１は本発明のエアブローガン型除電器の電気系統部とガン系統部とを組み合わせた状態で示す図であり、そのうち、図１ａは正面図であり、図１ｂは側面図である。図２は、本発明のエアブローガン型除電器の電気系統部とガン系統部とを組み合わせる前の状態（分解した状態）で示す図であり、そのうち、図２ａは正面図であり、図２ｂは側面図である。
【００２１】
図１、図２に示すように、電気系統部１０は、本体１２と、本体１２の先端に設けられた放電針１４、１４（この実施例では、左右２個の放電針）とを有する。一方、ガン系統部５０は、本体５２と、本体５２の先端に設けられたエアノズル５４とを有する。電気系統部１０の本体１２はガン系統部５０の本体５２に対して着脱可能に構成されており、電気系統部の本体１２の下部はガン系統部５０の本体５２に対して適切に着座できるように本体５２の上部の形状に対してほぼ補完形状に形成されている（なお、補完形状に関しては、図面の簡略化のために、図示せず）。
【００２２】
このように構成されているので、本発明の電気系統部１０とガン系統部５０とは電気的にも水分的にも完全に分離されたものであるが、構造的には着脱可能に構成されている。
【００２３】
次に、図３を参照して、電気系統部１０の絶縁構造について説明する。図３は図１の線３−３に沿った概略断面図である。電気系統部１０とガン系統部５０が組み合わされた状態では、電気系統部１０のほぼ金属性部材が占める高電圧部２０とガン系統部５０の金属性のエアノズル５４との間の放電（漏電）の発生が考えられる。
【００２４】
図３に示すように、本発明では、高電圧部２０に対して絶縁するケースを上キャビネット１６と下キャビネット１８で形成しており、これらの継ぎ目は両側の部分に位置する。放電は絶縁部分の継ぎ目部分を通して発生するので、ガン系統部５０のエアノズル５４と継ぎ目部分との間の距離は図３に示すように、大きく離れているので、放電（漏電）を生じ難い構造となっている。
【００２５】
ここで、従来例からある除電器の２つの給電方式を説明すると、交流除電器と直流除電器がある。交流除電器は１本の放電針に交流高電圧を供給し、＋イオンと−イオンとを交互に（時間的にずらして）放射する。これに対して直流除電器は一対の放電針にそれぞれ＋高電圧と−高電圧を供給し、＋イオンと−イオンを同時に混合して放射する。
【００２６】
本発明の除電器は前述の２つの方式に有効であり、以下に説明する。図４は本発明の交流除電器を示す端面図であり、そのうち、図４ａは１つの放電針を用いたものを示す端面図であり、図４ｂは２つの放電針を用いたものを示す端面図である。放電針１４とエアノズル５４をこのように配置することによって電気系統部とガン系統部を分離、絶縁しながら、イオンとエアを良く混合された状態で供給できる。
【００２７】
図５は本発明の直流除電器を示す端面図であり、そのうち、図５ａは一対の放電針とエアノズルを近接させた配置のものを示し、図５ｂは一対の放電針の中間にエアノズルを配置したものを示し、図５ｃは二対の放電針の中央にエアノズルを配置したものを示す。
【００２８】
図５ａ〜図５ｃにおいて、エアノズル５４に対して、一対の放電針１４、１４が近接して配置されており（図５ａ）、または一対の放電針１４、１４の中間にエアノズル５４が配置されており（図５ｂ）、または二対の放電針１４、１４、１４、１４の中央にエアノズル５４が配置されている（図５ｃ）。図５ｃでは、左右の放電針を逆極性にする場合と、隣合う放電針を全て逆極性にする場合が可能である。
【００２９】
このようにすることによって、電器系統部とガン系統部を分離、絶縁しながら、イオンとエアを良く混合された状態に供給できる。
【００３０】
図６に、放電針をエアの吹き出し方向に傾けてエア流とイオン流を良く混合する方法を示す。ガン系統部のエアノズル５４の先端から前方Ｌの位置でエア流と放電針１４からのイオン流の中心線が交差するように放電針１４をエアノズル５４に対して傾けて配置してある。
【００３１】
図７に、エア流にイオン流が竜巻状にまつわりつきながら供給される状態を示す。このことは両側の放電針１４を互いに反対方向に傾けることによって、実現できる。
【００３２】
図８に、イオン流を竜巻状に供給するとき、エアノズルを対称点として放電針が左右に配置されたものを示し、図８ａは正面図であり、図８ｂ、図８ｃは左右の側面図であり、図８ｄは底面図である。この場合、左右の放電針１４、１４はやや逆向きになっていて、一方の放電針はやや上向きに、他方はやや下向きに配置されている。
【００３３】
図９に、イオン流を竜巻状に供給するとき、放電針の配置を一般的にした場合を示し、図９ａは正面図であり、図９ｂ、図９ｃは左右の側面図であり、図９ｄは底面図である。即ち、エアノズルの位置が一対の放電針の中心にない場合で、この場合、左右の針はエアノズルの接線方向に向いており、竜巻ができるようになっている。
【００３４】
このようにすることによって、電器系統部とガン系統部を分離、絶縁しながら、イオンとエアを良く混合された状態に供給できる。
【００３５】
【発明の効果】
以上説明したように、本発明によれば、漏電防止のために、イオンを放出する放電針を持つ電気系統部とエアを噴射するエアノズルを持つエアブローガン系統部を電気的、構造的に独立して形成するにも拘わらず、イオンとエアの混合を良くすることができるエアブローガン型除電器が得られる。
【図面の簡単な説明】
【図１】図１は本発明のエアブローガン型除電器の電気系統部とガン系統部とを組み合わせた状態で示す図である。
【図２】図２は、本発明のエアブローガン型除電器の電気系統部とガン系統部とを組み合わせる前の状態（分解した状態）で示す図である。
【図３】図３は、図１の線３−３に沿った概略断面図である。
【図４】図４は、本発明の交流除電器の端面図である。
【図５】図５は、本発明の直流除電器の端面図である。
【図６】図６は、放電針をエアの吹き出し方向に傾けてエア流とイオン流を良く混合する方法を説明するための側面図である。
【図７】図７は、エア流にイオン流が竜巻状にまつわりつきながら供給される状態を示す斜視図である。
【図８】図８は、イオン流を竜巻状に供給するとき、エアノズルを対称点として放電針が左右に配置されたものを示す図である。
【図９】図９は、イオン流を竜巻状に供給するとき、放電針の配置を一般的にした場合を示す図である。
【図１０】図１０は、１つの従来例のエアブローガン型除電器の部分断面図である。
【図１１】図１１は、他の従来例のエアブローガン型除電器の部分断面図である。
【図１２】図１２は、エアブローガン型除電器の電気部（放電電極部）の断面図である。
【図１３】図１３は、漏電の状況を説明するための模型の電気回路図である。
【符号の説明】
１０    電気系統部
１２    本体
１４    放電針
５０    エアブローガン系統部
５２    本体
５４    エアノズル
【図１】
0004391618.tif 000002
【図２】
0004391618.tif 000003
【図３】
0004391618.tif 000004
【図４】
0004391618.tif 000005
【図５】
0004391618.tif 000006
【図６】
0004391618.tif 000007
【図７】
0004391618.tif 000008
【図８】
0004391618.tif 000009
【図９】
0004391618.tif 000010
【図１０】
0004391618.tif 000011
【図１１】
0004391618.tif 000012
【図１２】
0004391618.tif 000013
【図１３】
0004391618.tif 000014